(57)【要約】【課題】  挿通孔を介してゴミやほこり等が内部へ侵入することを抑制し、使用者が挿通孔を介して内部を視認しにくくすることが可能な水洗大便器を提供する。【解決手段】  給水ホースにより給水される洗浄水により洗浄される水洗大便器であって、ボウル部及び排水トラップ管路の周囲を囲うスカート部と、を有する便器本体と、便器本体のボウル部の後方に設けられ、給水ホースが接続され洗浄水をボウル部に供給する洗浄水供給装置と、給水ホースが挿通する第１挿通孔をスカート部の後側に開口する開口部と、第１挿通孔に取り付けられ、給水ホースが挿通する第１挿通孔よりも開口面積が小さい給水第２挿通孔が開口された固定部と、固定部を外側から覆うように取り付けられ、給水ホースが挿通する給水第３挿通孔が給水第２挿通孔と重なる位置に開口されたカバーと、を備える水洗大便器である。【選択図】  図５
2018141317.tif 000002
【特許請求の範囲】
【請求項１】
給水ホースにより給水される洗浄水により洗浄される水洗大便器であって、
汚物を受けるボウル部と、前記ボウル部の底部から延びる排水トラップ管路と、前記ボウル部及び前記排水トラップ管路の周囲を囲うスカート部と、を有する便器本体と、
前記便器本体の前記ボウル部の後方に設けられ、前記給水ホースが接続され洗浄水を前記ボウル部に供給する洗浄水供給装置と、
前記給水ホースが挿通する第１挿通孔を前記スカート部の後側に開口する開口部と、
前記第１挿通孔に取り付けられ、前記給水ホースが挿通する前記第１挿通孔よりも開口面積が小さい給水第２挿通孔が開口された固定部と、
前記固定部を外側から覆うように取り付けられ、前記給水ホースが挿通する給水第３挿通孔が前記給水第２挿通孔と重なる位置に開口されたカバーと、を備える水洗大便器。
【請求項２】
前記固定部は、前記洗浄水供給装置に給電する電源コードが挿通する給電第２挿通孔が開口され、
前記カバーは、前記電源コードが挿通する給電第３挿通孔が前記給電第２挿通孔と重なる位置に開口される請求項１に記載の水洗大便器。
【請求項３】
前記第１挿通孔は前記スカート部の後側の下端における左右方向の中間において形成される請求項１又は２に記載の水洗大便器。
【請求項４】
前記スカート部は陶器で形成され、前記固定部は金属で形成され、前記カバーは前記固定部に対して取り付けられる請求項１乃至３の何れ１項に記載の水洗大便器。
【請求項５】
前記開口部は、前記第１挿通孔の中心側から逆側、かつ、前記便器本体の外側へ向けて傾斜する傾斜面を有し、前記カバーの外周端は前記傾斜面と当接する請求項１乃至４に記載の水洗大便器。
【発明の詳細な説明】
【技術分野】
【０００１】
本発明は、給水ホースにより給水される洗浄水により洗浄される水洗大便器に関する。
【背景技術】
【０００２】
従来から、水洗大便器として、ボウル部の後部に設けられた収納室と、収納室に収納され洗浄水をボウル部へ供給する洗浄水供給手段と、給水源と洗浄水供給手段とを接続する接続部材と、収納室に開設された接続部材を挿通するための接続部材よりも大きな挿通孔とを備えたものが知られている（例えば、特許文献１参照）。
【先行技術文献】
【特許文献】
【０００３】
【特許文献１】特開２００２−８１１１７号公報
【発明の概要】
【発明が解決しようとする課題】
【０００４】
上述した従来の水洗大便器においては、施工のし易さや組み立てのし易さ、及び、製造性を考慮すると挿通孔は大きい方がよい。ただし、挿通孔の大きさや配置によっては、挿通孔を介してゴミやほこり等が内部へ侵入しやすくなるおそれがある。また、挿通孔の大きさや配置によっては、使用者が挿通孔を介して内部を視認しやすくなり、意匠性が低下するおそれがある。
【０００５】
本発明は、上述した問題を解決するためになされたものであり、挿通孔を介してゴミやほこり等が内部へ侵入することを抑制し、使用者が挿通孔を介して内部を視認しにくくすることが可能な水洗大便器を提供することを目的とする。
【課題を解決するための手段】
【０００６】
本発明は、給水ホースにより給水される洗浄水により洗浄される水洗大便器であって、汚物を受けるボウル部と、ボウル部の底部から延びる排水トラップ管路と、ボウル部及び排水トラップ管路の周囲を囲うスカート部と、を有する便器本体と、便器本体のボウル部の後方に設けられ、給水ホースが接続され洗浄水をボウル部に供給する洗浄水供給装置と、給水ホースが挿通する第１挿通孔をスカート部の後側に開口する開口部と、第１挿通孔に取り付けられ、給水ホースが挿通する第１挿通孔よりも開口面積が小さい給水第２挿通孔が開口された固定部と、固定部を外側から覆うように取り付けられ、給水ホースが挿通する給水第３挿通孔が給水第２挿通孔と重なる位置に開口されたカバーと、を備える水洗大便器である。
【０００７】
このように構成された本発明においては、給水ホースが挿通する第１挿通孔をスカート部の後側に開口する開口部と、第１挿通孔に取り付けられ、給水ホースが挿通する前第１挿通孔よりも小さい給水第２挿通孔が開口された固定部と、固定部を覆うように取り付けられ、給水ホースが挿通する給水第３挿通孔が給水第２挿通孔と重なる位置に開口されたカバーと、を備える。そのため、給水ホースが挿通した状態において、給水第２挿通孔及び給水第３挿通孔と重なる領域以外において、第１挿通孔の固定部及びカバーと重なる領域を塞ぐことができる。従って、第１挿通孔を介してゴミやほこり等が内部へ侵入することを抑制し、使用者が第１挿通孔を介して内部を視認しにくくすることができる。
【０００８】
本発明は、好ましくは、固定部は、洗浄水供給装置に給電する電源コードが挿通する給電第２挿通孔が開口され、カバーは、電源コードが挿通する給電第３挿通孔が給電第２挿通孔と重なる位置に開口される。
【０００９】
このように構成された本発明においては、固定部は、洗浄水供給装置に給電する電源コードが挿通する給電第２挿通孔が開口され、カバーは、電源コードが挿通する給電第３挿通孔が給電第２挿通孔と重なる位置に開口される。そのため、給水ホースと電源コードをともにカバー及び固定部を介して第１挿通孔から挿通することができ、例えば、一方を第１挿通孔ではない挿通孔から挿通する場合に比べ、挿通孔の数を抑えつつ、第１挿通孔を介してゴミやほこり等が内部へ侵入することを抑制し、使用者が第１挿通孔を介して内部を視認しにくくすることができる。
【００１０】
本発明は、好ましくは、第１挿通孔はスカート部の後側の下端における左右方向の中間において形成される。
【００１１】
このように構成された本発明においては、第１挿通孔はスカート部の後側の下端における左右方向の中間において形成される。そのため、第１挿通孔を介してゴミやほこり等が内部へ侵入することを抑制しつつ、より確実に使用者が第１挿通孔を介して内部を視認することを抑制することができる。
【００１２】
本発明は、好ましくは、スカート部は陶器で形成され、固定部は金属で形成され、カバーは固定部に対して取り付けられる。
【００１３】
このように構成された本発明においては、スカート部は陶器で形成され、固定部は金属で形成され、カバーは固定部に対して取り付けられる。そのため、スカート部に比べて固定部の製造誤差は小さくなり、カバーはより製造誤差の小さい固定部に取り付けられるため、スカート部にカバーが取り付けられる場合に比べて、カバーの取り付け位置のばらつきを抑制することができる。従って、給水ホースが挿通した状態において、給水第２挿通孔及び給水第３挿通孔と重なる領域以外において、より確実に第１挿通孔の固定部及びカバーと重なる領域を塞ぐことができる。
【００１４】
本発明は、好ましくは、開口部は、第１挿通孔の中心側から逆側、かつ、便器本体の外側へ向けて傾斜する傾斜面を有し、カバーの外周端は傾斜面と当接する。
【００１５】
このように構成された本発明においては、開口部は、第１挿通孔の中心側から逆側、かつ、便器本体の外側へ向けて傾斜する傾斜面を有し、カバーの外周端は傾斜面と当接する。そのため、開口部において製造誤差が生じても、カバーの外周端が傾斜面と当接するため、傾斜面でない面、例えば垂直面と当接する場合に比べて、カバーの外周端と開口部との間で隙間が生じにくい。従って、第１挿通孔を介してゴミやほこり等が内部へ侵入することをさらに抑制し、使用者が第１挿通孔を介して内部を視認することをより抑制することができる。
【発明の効果】
【００１６】
本発明の水洗大便器によれば、挿通孔を介してゴミやほこり等が内部へ侵入することを抑制し、使用者が挿通孔を介して内部を視認しにくくすることが可能となる。
【図面の簡単な説明】
【００１７】
【図１】本発明の一実施形態による水洗大便器を示す斜視図。
【図２】本発明の一実施形態による水洗大便器の前後方向の全断面図。
【図３】本発明の一実施形態における水洗大便器を斜め後方から見た部分斜視図。
【図４】本発明の一実施形態における水洗大便器の部分拡大背面図。
【図５】本発明の一実施形態における水洗大便器の部分拡大背面図。
【発明を実施するための形態】
【００１８】
以下、図面を参照して本発明の一実施形態に係る水洗大便器について説明する。
まず、図１は本発明の一実施形態による水洗大便器を示す斜視図であり、便蓋及び便座を上方位置まで回動させた状態を示しており、図２は本発明の一実施形態による水洗大便器の前後方向の全断面図であり、便蓋、便座、固定部及びカバーを取り外した状態を示している。
【００１９】
図１及び図２に示すように、本発明の一実施形態による水洗大便器１は、床面Ｆに載置される陶器製の便器本体２と、この便器本体２の上面に上下方向に回動可能に配置された便座４と、この便座４を覆うように上下方向に回動可能に配置された便蓋６と、便器本体２の後方に配置された機能部８とを備えている。また、機能部８には、使用者の局部を洗浄する衛生洗浄装置９と、便器本体２へ洗浄水を供給する洗浄水供給装置を構成する給水系機能部１２が内蔵されている。給水系機能部１２及び衛生洗浄装置９には、外部電源（図示せず）に接続された電源コードにより電気が給電され、洗浄水源（図示せず）に接続された給水ホースＨにより洗浄水が給水される。
【００２０】
便器本体２にはボウル部２０が形成されていると共に、このボウル部２０の周囲を囲うようにスカート部１０が形成されている。本実施形態においては、スカート部１０は、陶器製であり、便器本体２の全周を取り囲む外周壁面として、一体に形成されている。スカート部１０の後側の上部には開口１０ａが形成され、スカート部１０の後側の下部には開口部１１が形成されている。開口部１１についての詳細は後述する。なお、ここでいう「後側」とは前側（正面側）から見て、あるいは、前側（正面側）に立った使用者から見て、見えない領域であり、例えば、スカート部において最も左右方向の幅が大きくなる位置より後方の領域である。
【００２１】
また、ボウル部２０は、ボウル形状の汚物受け面１４と、この汚物受け面１４の上縁の棚面１６から立ち上がるように形成されたリム部１８とを備えている。
【００２２】
図２に示すように、便器本体２には、ボウル部２０の底部に設けられた入口開口２２ａから延びる排水トラップ管路２２が形成されている。この排水トラップ管路２２は、入口開口２２ａから後方斜め上方に向かって延びる上昇管路２２ｂ、この上昇管路２２ｂの下流端に設けられ、ボウル部２０の溜水面Ｌの高さを規定する屈曲部２２ｃ、及びこの屈曲部２２ｃから下方に向かって延びる下降管路２２ｄから構成されている。即ち、ボウル部２０の溜水面Ｌの高さは、排水トラップ管路２２の底面が最も高い位置にある屈曲部２２ｃにより規定される。また、排水トラップ管路２２も、ボウル部２０と同様に、スカート部１０により周囲を囲われている。
【００２３】
また、図２に示すように、リム部１８には、リム吐水部の一部であるリム吐水口２６が形成されている。さらに、リム吐水口２６の上流側は、電磁弁２８を介して洗浄水源である水道（図示せず）に給水ホースＨにより接続されている。ボウル部２０の通常洗浄時においては、給水系機能部１２に内蔵されたコントローラ（図示せず）が電磁弁２８に信号を送り、これを開弁させる。電磁弁２８が開弁されると、水道の給水圧力により洗浄水がリム吐水口２６まで導かれるようになっている。リム吐水口２６から後方へ向けて吐出された洗浄水は、リム吐水口２６に連なるように形成された通水路を経て棚面１６に導かれ、ボウル部２０内を旋回することにより汚物受け面１４を洗浄するようになっている。
【００２４】
さらに、図２に示すように、ボウル部２０の底部には、ゼット吐水口３２が形成されており、このゼット吐水口３２は、排水トラップ管路２２の入口開口２２ａに向けて噴流が吐出されるように、入口開口２２ａに対向するように配置されている。また、便器本体２には、便器本体２に洗浄水を流入させる導水路流入部（図示せず）から、ボウル部２０の底部に設けられたゼット吐水口３２まで延びるゼット導水路（図示せず）が形成されている。
【００２５】
さらに、図２に示すように、水洗大便器本体２の後部には、給水系機能部１２として、貯水タンク３４、及び加圧ポンプ３６が設けられている。加圧ポンプ３６は、通常の便器洗浄時において、貯水タンク３４内に貯留されている洗浄水を加圧して、水洗大便器本体２の導水路流入部（図示せず）に流入させるように構成されている。これにより、加圧ポンプ３６が作動されると、貯水タンク３４に貯水されていた洗浄水は、加圧ポンプ３６によって加圧され、ゼット導水路（図示せず）を通ってゼット吐水口３２から吐出される。
【００２６】
また、ゼット吐水口３２から吐出された洗浄水は、ボウル部２０内に貯留されていた溜水を巻き込みながら、ゼット吐水口３２に対向して設けられた排水トラップ管路２２の入口開口２２ａに流入する。入口開口２２ａに流入した洗浄水は、上昇管路２２ｂ内を上昇して屈曲部２２ｃ内を満水とし、サイホン作用を誘発する。サイホン作用が発生すると、ボウル部２０内の溜水及び汚物が入口開口２２ａを通って上昇管路２２ｂ内に吸引され、屈曲部２２ｃを越えて下降管路２２ｄから排出される。このように、加圧ポンプ３６を使用してゼット吐水口３２から洗浄水を噴射させることにより、早期に排水トラップ管路２２内を満水にすることが可能になり、早期にサイホン作用を起動させることができる。
【００２７】
なお、本実施形態においては、貯水タンク３４内の洗浄水を加圧ポンプ３６によりゼット導水路（図示せず）に流入させているが、水道の給水圧力を利用して洗浄水を流入させる水道直圧式等の水洗便器に本発明を適用することもできる。
【００２８】
さらに、図２に示すように、水洗大便器１には、排水ソケット３８が備えられている。この排水ソケット３８は、排水トラップ管路２２の下流側に配置され、スカート部１０の内側で、排水トラップ管路２２と、床面Ｆから立ち上げられている排水配管４０とを接続している。また、排水ソケット３８には弁体４２が設けられており、この弁体４２は、排水ソケット３８の流路を開閉するために、開位置と閉位置（図２の位置）の間で移動可能に構成されている。また、弁体４２は、水洗大便器１の通常使用時においては、常に開位置にされており、停電対応機能の使用時において、使用者の操作により閉位置に移動される。
【００２９】
なお、本明細書において、弁体４２の「閉位置」とは、必ずしも排水ソケット３８の流路が完全に閉塞された状態を意味するものではなく、排水ソケット３８の流路断面積が「開位置」よりも狭くされた状態を含むものである。また、本実施形態においては、弁体４２が「閉位置」にある状態でも、排水ソケット３８の流路は完全に閉塞されず、小流量の洗浄水が排水ソケット３８を通過できるようになっている。
【００３０】
次に、図３を参照して本発明の一実施形態における停電対応機能を説明する。
図３は本発明の一実施形態における水洗大便器を斜め後方から見た部分斜視図であり、背面のカバー等（図示せず）を取り外した状態を示している。
【００３１】
図３に示すように、停電対応機能に関与する停電対応機能部は、リング状の把持部４４と、把持部４４に接続されるワイヤ４８と、ワイヤ４８が接続される洗浄レバーユニット（図示せず）と、洗浄レバーユニット（図示せず）に取り付けられるスイッチユニット（図示せず）と、ワイヤ４８が挿通される可撓管（図示せず）と、弁体４２を内蔵した排水ソケット３８とを含む。
【００３２】
把持部４４は、便器本体２後部の、スカート部１０の内側に配置されている。
【００３３】
ワイヤ４８は一端側が把持部４４に接続され、他端側が排水ソケット３８に接続されている。ワイヤ４８は可撓管（図示せず）に挿通され、便器本体２内部にてガイドされる。なお、本発明においては、例えば、一端側と他端側とでワイヤを夫々備え、その２つのワイヤを互いに接続する中継装置をさらに備える構成としてもよい。
【００３４】
スイッチユニット（図示せず）は、その側面に電気コネクタ（図示せず）が設けられており、この電気コネクタ（図示せず）には接続コード（図示せず）が接続される。この接続コード（図示せず）は、給水系機能部１２に内蔵された電磁弁２８に接続されており、停電対応時において、使用者がワイヤ４８を所定量引き出すと、内蔵バッテリ（図示せず）により電磁弁２８が開弁されるように構成されている。
【００３５】
排水ソケット３８の流路５４ｂの中間部には弁体４２が設けられており、この弁体４２は、「開位置」と「閉位置」（図２の状態）の間で回動可能に取り付けられている。具体的には、弁体４２は、中央部が上方に向けて盛り上がった板状の部材であり、その一端部には回転軸４２ａが設けられている。弁体４２は、流路５４ｂ内で回転軸４２ａを中心に回動可能に取り付けられている。弁体４２が概ね水平方向に向けられた「閉位置」では流路５４ｂが概ね閉鎖されて流路断面積が狭くなり、弁体４２が概ね鉛直下方に向けられた「開位置」では流路５４ｂが開かれ、流路断面積が広くなる。このように、弁体４２が流路５４ｂ内で回動することにより、フラッパ弁が形成される。弁体４２は、ワイヤ４８に伝達された力により移動されるように構成される。
【００３６】
停電対応機能を使用する場合には、使用者は、まず、便器本体２後部の背面上部開口１０ａを覆っている化粧カバー（図示せず）を取り外して把持部４４を露出させる。次いで、使用者は、把持部４４に指を掛け、ワイヤ４８を引く。
【００３７】
ワイヤ４８が引かれると、回転軸４２ａが回動され、これにより弁体４２が「開位置」から「閉位置」（図２）に移動される。
ワイヤ４８が洗浄レバーユニット（図示せず）から所定量引き出されると、スイッチユニット（図示せず）は電磁弁２８に信号を送り、これを開弁させる。なお、電磁弁２８に送られる電気信号、及び電磁弁２８を開弁させる電力は、機能部８に内蔵されている非常用のバッテリ又は大容量のコンデンサ（図示せず）により供給される。電磁弁２８が開弁されると、水道の給水圧により洗浄水が供給され、この洗浄水はリム吐水口２６からボウル部２０に流入する。洗浄水が流入すると、ボウル部２０内の洗浄水は排水トラップ管路２２の屈曲部２２ｃを越えて下降管路２２ｄに流入する。ここで、排水ソケット３８内に設けられた弁体４２は使用者の操作により「閉位置」に移動されているので、下降管路２２ｄに流入した洗浄水は殆ど弁体４２の下流側へは流れず、弁体４２の上流側に留まることとなる。
【００３８】
これにより、排水トラップ管路２２内が概ね満水となると共に、ボウル部２０内の水位も、屈曲部２２ｃによって規定される溜水水位Ｌよりも高くなる。ボウル部２０内の水位が所定の水位まで上昇すると、使用者はワイヤ４８を引く力を緩める。使用者が力を緩めると、回転軸４２ａが回動され、これにより弁体４２が「閉位置」（図２）から「開位置」に移動される。
【００３９】
これにより、弁体４２の上流側に溜まっていた洗浄水が排水配管４０に向けて落下して、排水トラップ管路２２内に負圧が発生し、サイホン作用が起動する。サイホン作用の発生により、ボウル部２０内の洗浄水及び汚物が排水トラップ管路２２に吸引され、排水配管４０に排出される。一方、使用者がワイヤ４８を引く力を緩め、把持部４４が元の位置に復帰すると、スイッチユニット（図示せず）は電磁弁２８の開弁状態を所定時間維持した後、電磁弁２８を閉弁させる。これにより、サイホン作用が発生した後も洗浄水が所定量供給されるので、ボウル部２０内の水位が元の溜水水位Ｌに復帰して、１回の便器洗浄が終了する。
【００４０】
次に、図４及び図５を参照して開口部、固定部及びカバーについて説明する。
図４は本発明の一実施形態における水洗大便器の部分拡大背面図であり、固定部を取り付けかつカバーを外した状態を示しており、図５は本発明の一実施形態における水洗大便器の部分拡大背面図であり、固定部及びカバーを取り付けた状態を示している。なお、図４と図５はともに排水ソケット３８、給水ホースＨ及び電源コードＥを省略した状態を示している。
【００４１】
図４に示すように、開口部１１は給水ホースＨ及び電源コードＥが挿通するための第１挿通孔１１ａが開口されている。第１挿通孔１１ａには、固定部６０が取り付けられている。また、開口部１１は、第１挿通孔１１ａの中心側から逆側、かつ、便器本体２の外側へ向けて傾斜する傾斜面１１ｂを有する。
【００４２】
第１挿通孔１１ａはスカート部１０の後側の下端における左右方向の中間において形成された略半楕円形状の貫通孔である。また、第１挿通孔１１ａは下端から上方へと切り欠かれた形状であり、下端が開放された貫通孔である。なお、本発明においては、このような形態に限定されるものではなく、例えば、スカート部の後側であれば、左右方向の中間でない位置や、下端でない位置に形成されてもよく、また、全周において開放されない形状でもよい。
【００４３】
固定部６０は金属（例えば、ステンレス鋼）にて略板状に形成され、第１挿通孔１１ａの内周面に対してゴムブッシュ（図示せず）及びネジ（図示せず）によって取り付けられる。また、固定部６０には、第１挿通孔１１ａよりも小さい第２挿通孔６０ａが開口される。さらに、固定部６０の下端には停電機能係止部７０が取り付けられる。なお、本発明においては、固定部６０は金属で形成しなくてもよく、例えば、樹脂にて形成してもよい。
【００４４】
第２挿通孔６０ａは左右方向に長い長孔形状であり、給水ホースＨ及び電源コードＥが挿通される。即ち、第２挿通孔６０ａは、給水ホースＨが挿通する給水第２挿通孔及び電源コードＥが挿通する給電第２挿通孔として機能する。なお、本発明はこのような形態に限定されるものではなく、例えば、給水ホースが挿通する給水第２挿通孔及び電源コードが挿通する給電第２挿通孔をそれぞれ別に開口してもよい。
【００４５】
停電機能係止部７０は略リング状に形成され、停電対応機能に関与する停電対応機能部を係止することができる。例えば、ワイヤ４８や、ワイヤ４８が挿通された可撓管（図示せず）を係止する。停電機能係止部７０は、上下方向に延びる軸線を中心に左右方向に回動可能に構成される。このような構成により、停電対応機能部に関する施工を行う際に、施工容易性を高めることができる。
【００４６】
図５に示すように、固定部６０には、固定部６０を外側から覆うようにカバー８０が取り付けられる。取り付けられた状態にてカバー８０の外周端は開口部１１の傾斜面１１ｂと当接する。カバー８０は樹脂（例えば、ポリプロピレン）にて略半楕円形状の板状に形成され、前面側に設けられた面ファスナー（図示せず）にて固定部６０に設けられた面ファスナー（図示せず）にて係止される。また、カバー８０は、第２挿通孔６０ａと重なる位置に第３挿通孔８０ａが開口されている。なお、ここでいう「重なる位置」とは、第２挿通孔の中心軸に沿って見て、給水ホース及び/又は電源コードが挿通可能な程度に重なっていればよい。また、本発明においては、カバー８０を取り付ける方法は面ファスナーに限られるものではなく、例えば、接着テープやマグネットをカバーや固定部、開口部に設けることで互いを係止する構成としてもよい。
【００４７】
第３挿通孔８０ａは左右方向に長い長孔形状であり、給水ホースＨ及び電源コードＥが挿通される。即ち、第３挿通孔８０ａは、給水ホースＨが挿通する給水第３挿通孔及び電源コードＥが挿通する給電第３挿通孔として機能する。なお、本発明はこのような形態に限定されるものではなく、例えば、給水ホースが挿通する給水第３挿通孔及び電源コードが挿通する給電第３挿通孔をそれぞれ別に開口してもよい。
また、第３挿通孔８０ａは第２挿通孔６０ａよりも開口面積が大きく形成される。そのため、給水ホースＨ及び電源コードＥは、第２挿通孔６０ａ、即ち固定部６０に接触しやすく、第３挿通孔８０ａ、即ちカバー８０に接触しにくい。
【００４８】
上述した本発明の一実施形態による水洗大便器１によれば、給水ホースＨが挿通する第１挿通孔１１ａをスカート部１０の後側に開口する開口部１１と、第１挿通孔１１ａに取り付けられ、給水ホースＨが挿通する第１挿通孔１１ａよりも開口面積が小さい第２挿通孔６０ａが開口された固定部６０と、固定部６０を覆うように取り付けられ、給水ホースＨが挿通する第３挿通孔８０ａが第２挿通孔６０ａと重なる位置に開口されたカバー８０と、を備える。そのため、給水ホースＨが挿通した状態において、第２挿通孔６０ａ及び第３挿通孔８０ａと重なる領域以外において、第１挿通孔１１ａの固定部６０及びカバー８０と重なる領域を塞ぐことができる。従って、第１挿通孔１１ａを介してゴミやほこり等がスカート部１０内部へ侵入することを抑制し、使用者が第１挿通孔１１ａを介してスカート１０内部を視認しにくくすることができる。
【００４９】
さらに、上述した本発明の一実施形態による水洗大便器１によれば、固定部６０は、電源コードＥが挿通する第２挿通孔６０ａが開口され、カバー８０は、電源コードＥが挿通する第３挿通孔８０ａが第２挿通孔６０ａと重なる位置に開口される。そのため、給水ホースＨと電源コードＥをともにカバー８０及び固定部６０を介して第１挿通孔１１ａから挿通することができ、例えば、一方を第１挿通孔１１ａではない挿通孔から挿通する場合に比べ、挿通孔の数を抑えつつ、第１挿通孔１１ａを介してゴミやほこり等が内部へ侵入することを抑制し、使用者が第１挿通孔１１ａを介して内部を視認しにくくすることができる。
【００５０】
さらに、上述した本発明の一実施形態による水洗大便器１によれば、第１挿通孔１１ａはスカート部１０の後側の下端における左右方向の中間において形成される。そのため、使用者にとってより視認しづらい位置に配置されることとなり、第１挿通孔１ａを介してゴミやほこり等が内部へ侵入することを抑制しつつ、より確実に使用者が第１挿通孔１１ａを介して内部を視認することを抑制することができる。
【００５１】
さらに、上述した本発明の一実施形態による水洗大便器１によれば、スカート部１０は陶器で形成され、固定部６０は金属で形成され、カバー８０は固定部６０に対して取り付けられる。そのため、スカート部１０に比べて固定部６０の製造誤差は小さくなり、カバー８０はより製造誤差の小さい固定部６０に取り付けられるため、スカート部１０にカバー８０が取り付けられる場合に比べて、カバー８０の取り付け位置のばらつきを抑制することができる。従って、給水ホースＨが挿通した状態において、第２挿通孔６０ａ及び第３挿通孔８０ａと重なる領域以外において、より確実に第１挿通孔１１ａの固定部６０及びカバー８０と重なる領域を塞ぐことができる。
【００５２】
さらに、上述した本発明の一実施形態による水洗大便器１によれば、開口部１１は、第１挿通孔１１ａの中心側から逆側、かつ、便器本体２の外側へ向けて傾斜する傾斜面１１ｂを有し、カバー８０の外周端は傾斜面１１ｂと当接する。そのため、開口部１１において製造誤差が生じても、カバー８０の外周端が傾斜面１１ｂと当接するため、傾斜面１１ｂでない面、例えば垂直面と当接する場合に比べて、カバー８０の外周端と開口部１１との間で隙間が生じにくい。従って、第１挿通孔１１ａを介してゴミやほこり等が内部へ侵入することをさらに抑制し、使用者が第１挿通孔１１ａを介して内部を視認することをより抑制することができる。
【符号の説明】
【００５３】
１    水洗大便器
２    便器本体
４    便座
６    便蓋
８    機能部
９    衛生洗浄装置
１０    スカート部
１０ａ  背面上部開口
１１    開口部
１１ａ  第１挿通孔
１２    給水系機能部
１４    汚物受け面
１６    棚面
１８    リム部
２０    ボウル部
２２    排水トラップ管路
２２ａ  入口開口
２２ｂ  上昇管路
２２ｃ  屈曲部
２２ｄ  下降管路
２６    リム吐水口
２８    電磁弁
３２    ゼット吐水口
３４    貯水タンク
３６    加圧ポンプ
３８    排水ソケット
４０    排水配管
４２    弁体
４２ａ  回転軸
４４    把持部
４８    ワイヤ
５４ｂ  流路
６０    固定部
６０ａ  第２挿通孔
７０    停電機能係止部
８０    カバー
８０ａ  第３挿通孔
【図１】
2018141317.tif 000003
【図２】
2018141317.tif 000004
【図３】
2018141317.tif 000005
【図４】
2018141317.tif 000006
【図５】
2018141317.tif 000007